(57)【要約】【課題】従来の収納容器には、収納部に収納された物の取り出しを禁止するタイミングを管理することができない問題があった。【解決手段】本発明の納容器は、物を収納する収納部の蓋をロック状態とするかロック解除状態とするかを切り替えるロック機構１５ａと、入力装置２０と無線通信を行う無線通信部１２と、入力装置２０から与えられるタイマー値に従ってロック機構１５を操作する制御部１１と、を有し、制御部１１は、タイマー値のうちの第１のタイマー値が与えられたことに応じてロック機構１５ａをロック状態に設定し、ロック機構１５ａをロック状態とした後に第１のタイマー値により指定された時刻が経過したことに応じてロック機構１５ａをロック解除状態とし、ロック機構１５ａをロック解除状態とした後に、タイマー値のうちの第２のタイマー値により指定された時刻が経過した後にロック機構１５ａをロック状態で維持する。【選択図】図１
2020120914.tif 000002
【特許請求の範囲】
【請求項１】
物を収納する収納部の蓋をロック状態とするかロック解除状態とするかを切り替えるロック機構と、
外部の入力装置と無線通信を行う無線通信部と、
前記入力装置から与えられるタイマー値に従って前記ロック機構を操作する制御部と、を有し、
前記制御部は、
前記タイマー値のうちの第１のタイマー値が与えられたことに応じて前記ロック機構をロック状態に設定し、
前記ロック機構をロック状態とした後に前記第１のタイマー値により指定された時刻が経過したことに応じて前記ロック機構をロック解除状態とし、
前記ロック機構をロック解除状態とした後に、前記タイマー値のうちの第２のタイマー値により指定された時刻が経過した後に前記ロック機構をロック状態で維持する収納容器。
【請求項２】
前記制御部は、前記入力装置からロック解除指示が与えられたことに応じて前記ロック機構をロック解除状態とする請求項１に記載の収納容器。
【請求項３】
前記制御部は、前記入力装置から前記第１のタイマー値の変更指示があった場合、変更指示前に記憶している前記第１のタイマー値を変更する請求項１又は２に記載の収納容器。
【請求項４】
前記収納部内の温度を測定する温度センサと、
音声を出力するスピーカーと、をさらに有し、
前記制御部は、前記収納部に対して冷蔵保管を行うことが指示されていた場合、前記温度センサから取得した温度データが温度閾値よりも高い場合、前記スピーカーを介してアラーム音を発する請求項１乃至３のいずれか１項に記載の収納容器。
【請求項５】
文字情報を表示するディスプレイをさらに有し、
前記温度データが温度閾値よりも高い場合、前記ディスプレイに警告表示を行う請求項４に記載の収納容器。
【請求項６】
前記無線通信部は、出力装置と無線通信を行う機能を有し、
前記出力装置は、文字情報を表示するディスプレイを有し、
前記制御部は、前記温度データが温度閾値よりも高い場合、前記出力装置にアラーム通知を出力し、
前記出力装置は、受信した前記アラーム通知に基づき前記ディスプレイに警告メッセージを表示する請求項４に記載の収納容器。
【請求項７】
前記無線通信部は、外部の出力装置と無線通信を行う機能を有し、
前記制御部は、前記第１のタイマー値が与えられことに応じて、前記無線通信部を介して当該第１のタイマー値により指定されるロック解除時刻を前記出力装置に通知し、
前記出力装置は、文字情報を表示するディスプレイを有し、受信した前記ロック解除時刻を前記ディスプレイに表示する請求項１に記載の収納容器。
【請求項８】
前記出力装置は、前記入力装置とは別の装置である請求項６又は７に記載の収納容器。
【請求項９】
前記無線通信部は、無線ＬＡＮ、Ｂｌｕｅｔｏｏｔｈ（登録商標）、近距離無線通信の少なくとも１つの通信規格に従って通信を行う請求項１乃至８のいずれか１項に記載の収納容器。
【発明の詳細な説明】
【技術分野】
【０００１】
本発明は収納容器に関し、特にロック機構を有し、収納部の蓋のロックとロック解除を切り替える事ができる収納容器に関する。
【背景技術】
【０００２】
近年、投薬や、食事管理の分野において、薬や食料を収納する収納容器により利用者に対する服薬管理及び食事管理を行うことが行われている。このような収納容器の一例が特許文献１、２に開示されている。
【０００３】
特許文献１に記載の電子薬箱は、制御部は、電子薬箱がドッキングステーションにセットされたことを検出すると、冷却ユニットによる冷却制御を開始することから、本体部の
収納容器内の温度は目標温度よりも低くなるように制御される。さらに制御部は、フタ部が閉められると、マルチアクセス対応のリーダライタ部により、収納されている全ての医薬品の医薬品情報を読み取らせ、フタ部が開けられると、記憶部の医薬品情報の要旨を表示部に一覧表示させる。
【０００４】
特許文献２に記載の賞味期限アラーム通知ユニットは、賞味期限のある食品または食材を入れて冷蔵庫または保管庫で保管する容器に装着し、食品または食材の賞味期限に係るアラーム情報を通知するユニットであって、容器に入れられている食品または食材の賞味期限に係る情報を入力する賞味期限入力手段と、日時の経過を計測する日時計測手段と、光を検知する光検知手段と、賞味期限に係るアラーム情報を表示または無線送信する賞味期限アラーム手段と、を有し、賞味期限入力手段に賞味期限に係る情報が入力された場合に、日時計測手段は日時の経過の計測を開始し、現在の日時が前記入力された賞味期限に近い所定の日時または賞味期限を超えた日時の状態で、光検知手段が光を検知したならば、賞味期限アラーム手段は、賞味期限が近づいた旨または賞味期限切れである旨のアラーム情報を、自ユニットが備える表示部に表示する、または自ユニットが備える無線通信部を起動して予め定められた宛先へ無線送信する。
【先行技術文献】
【特許文献】
【０００５】
【特許文献１】特開２００７−１２５１３８号公報
【特許文献２】特開２０１４−１２６２３１号公報
【発明の概要】
【発明が解決しようとする課題】
【０００６】
このような現状に対して、特許文献１では、投薬タイミングの管理を行うことが出来ない問題がある。また、特許文献２では、賞味期限の管理はできるものの、食事を許可するタイミングの管理及び賞味期限徒過後の食品の取り出しを防ぐことができない問題がある。つまり、特許文献１、２に記載の技術を用いても収納容器内に格納された物の取り出しを禁止するタイミングを管理することが出来ない問題がある。
【課題を解決するための手段】
【０００７】
本発明にかかる収納容器の一態様は、物を収納する収納部の蓋をロック状態とするかロック解除状態とするかを切り替えるロック機構と、外部の入力装置と無線通信を行う無線通信部と、前記入力装置から与えられるタイマー値に従って前記ロック機構を操作する制御部と、を有し、前記制御部は、前記タイマー値のうちの第１のタイマー値が与えられたことに応じて前記ロック機構をロック状態に設定し、前記ロック機構をロック状態とした後に前記第１のタイマー値により指定された時刻が経過したことに応じて前記ロック機構をロック解除状態とし、前記ロック機構をロック解除状態とした後に、前記タイマー値のうちの第２のタイマー値により指定された時刻が経過した後に前記ロック機構をロック状態で維持する。
【発明の効果】
【０００８】
本発明にかかる収納容器によれば、収納部に収納された物の取り出しを禁止するタイミングを管理することができる。
【図面の簡単な説明】
【０００９】
【図１】実施の形態１にかかる収納容器を含む収納システムのブロック図である。
【図２】実施の形態１にかかる収納容器の動作を説明するフローチャートである。
【図３】実施の形態１にかかる出力装置においてタイマー情報に基づく内容物管理表示を行う場合の動作を説明するフローチャートである。
【図４】実施の形態１にかかる出力装置において収納部の温度異常を通知する警告メッセージを表示する場合の動作を説明するフローチャートである。
【図５】実施の形態１にかかる出力装置において収納部のロック解除を通知するメッセージを表示する場合の動作を説明するフローチャートである。
【図６】実施の形態１にかかる収納容器単体で収納部の保冷機能を使う場合の動作を説明するフローチャートである。
【図７】実施の形態２にかかる収納容器を含む収納システムのブロック図である。
【図８】実施の形態３にかかる収納容器を含む収納システムのブロック図である。
【図９】実施の形態４にかかる収納容器を含む収納システムのブロック図である。
【図１０】実施の形態５にかかる収納容器を含む収納システムのブロック図である。
【発明を実施するための形態】
【００１０】
実施の形態１
以下、図面を参照して本発明の実施の形態について説明する。図１に実施の形態１にかかる収納容器を含む収納システムのブロック図を示す。図１に示すように、実施の形態１にかかる収納システム１は、収納容器１０、入力装置２０、出力装置３０を有する。
【００１１】
収納容器１０は、蓋を有する収納部（不図示）を備える。そして、収納容器１０は、蓋をロック状態とするかロック解除状態とするかを切り替えるロック機構を有する。そして、収納容器１０は、収納部に収納された物の取り出しを禁止するタイミングを管理者が管理する。また、収納容器１０に収納された物を取り出す利用者は、管理者によって設定された設定時刻に従って収納容器１０に収納された物を取り出す。また、収納容器１０の収納部については冷蔵機能等の温度管理機能を設けることもできる。以下の説明では、収納部に対して冷蔵機能を備える収納容器１０について説明する。
【００１２】
介護現場や、独居老人の食事や投薬において、物忘れや脳機能の低下・障害による過食や薬物の過剰摂取、或いは、冷蔵保管されていなかった食物の腐敗が問題視されている。これらに対して現在では介護者が管理する方法がとられることが一般的である。投薬においてもカレンダー式の服薬管理用品や介護者による管理という対策がされている。介護者が食事や投薬を管理する場合、介護者に大きな負担がかかるという問題があり、カレンダー式の服薬管理用品やメモは、特に物忘れによる過食や薬物の過剰摂取には効果的ではない。さらに、食物の腐敗に関しては、介護者が管理をする必要があり、大きな負担である。被介護者や独居老人の冷蔵庫への保管忘れによる食物の腐食という問題は解決が急務な課題ある。
【００１３】
そこで、収納システム１では、入力装置２０と出力装置３０を別の筐体として設けることを特徴の１つとする。入力装置２０は、収納容器１０の蓋のロック状態の管理を行う端末であり、収納容器１０の管理者が利用する。一方、出力装置３０は、収納容器１０に収納された物の取り出しを行う利用者が利用する端末である。このように入力装置２０と出力装置３０とを別に設けることで、管理者によりされた収納容器１０の設定値を利用者が不用意に変更して、収納物の管理性が低下することを防止することができる。
【００１４】
図１に示すように、収納容器１０は、制御部（例えば、メイン制御部１１）、無線通信部（例えば、無線ＬＡＮ送受信部１２）、温度センサ１３ａ、１３ｂ、アクチュエータ１４ａ、１４ｂ、ロック機構１５ａ、１５ｂ、ディスプレイ１６、スピーカー１７を有する。
【００１５】
メイン制御部１１は、例えば、プログラムを実行する演算部と、アナログデジタル変換回路、タイマー回路、デジタル信号を送受信するデジタルインタフェース等の周辺回路を１チップに搭載したＭＣＵ（Micro Controller Unit）である。メイン制御部１１は、入力装置２０から与えられるタイマー値に従ってロック機構１５ａ、１５ｂを操作する。なお、実施の形態１にかかる収納システム１では、入力装置２０から収納容器１０に与えるタイマー値として第１のタイマー値（例えば、ロック解除時刻）と、第２のタイマー値（例えば、利用期限時刻）と、を含む。そして、メイン制御部１１は、ロック解除時刻と利用期限時刻とに基づき収納容器１０の蓋のロック状態とロック解除状態とを制御する。
【００１６】
無線ＬＡＮ送受信部１２は、無線ＬＡＮの所定のプロトコルに従って、入力装置２０及び出力装置３０と無線通信を行う。無線ＬＡＮ送受信部１２は、入力装置２０及び出力装置３０との間の通信データをメイン制御部１１と送受信する。
【００１７】
温度センサ１３ａ、１３ｂは、収納部内の温度を計測して、計測した温度を示す温度データを出力する。なお、図１に示した収納容器１０では、２つの温度センサを示したが、１つであってもかまわない。
【００１８】
アクチュエータ１４ａは、メイン制御部１１からの指示に基づきロック機構１５ａを操作して、ロック機構１５ａをロック状態とするロック解除状態とするかを切り替える。つまり、アクチュエータ１４ａ及びロック機構１５ａは、一体の機構として動作するものである。アクチュエータ１４ｂは、メイン制御部１１からの指示に基づきロック機構１５ｂを操作して、ロック機構１５ｂをロック状態とするロック解除状態とするかを切り替える。つまり、アクチュエータ１４ｂ及びロック機構１５ｂは、一体の機構として動作するものである。
【００１９】
ディスプレイ１６は、メイン制御部１１から与えられたデータに基づき文字列を表示する。例えば、ディスプレイ１６は、ロック解除時刻、利用限度時刻、あるいは、収納部の保冷状態の異常を警告する警告メッセージ等の収納容器１０の状態を示す情報を表示する。スピーカー１７は、アラーム、操作音等の収納容器１０の状態を示す音声をメイン制御部１１からの指示に従って出力する。
【００２０】
入力装置２０は、端末側制御部２１、無線通信部（例えば、無線ＬＡＮ送受信部２２）、入力インタフェース２３を有する。入力インタフェース２３は、ボタン、タッチ画面等の情報入力手段である。入力装置２０では、入力インタフェース２３を解して管理者が入力した収納容器１０に対する指示を端末側制御部２１でエンコードして無線ＬＡＮ送受信部２２を解して収納容器１０に伝達する。なお、無線ＬＡＮ送受信部２２は、無線ＬＡＮ送受信部１２との間で決められた通信プロトコルに従って、無線ＬＡＮ送受信部１２と通信を行う。
【００２１】
出力装置３０は、端末側制御部３１、無線通信部（例えば、無線ＬＡＮ送受信部３２）、ディスプレイ３３、スピーカー３４を有する。端末側制御部３１は、無線ＬＡＮ送受信部３２を解して収納容器１０から収納容器１０の状態を示す通知を受信する。この通知には、収納容器１０に設定されたロック解除時刻、ロック状態の変化を示す情報、各種アラームが少なくとも含まれる。端末側制御部３１は、受信した通知に従いディスプレイ３３に文字情報等を表示する。また、端末側制御部３１は、受信した通知に従いスピーカー３４を介して音声を出力する。
【００２２】
続いて、実施の形態１にかかる収納システム１の動作について説明する。そこで、図２に実施の形態１にかかる収納容器の動作を説明するフローチャートを示す。図２に示すように、収納容器１０は、入力装置２０からタイマー値として、ロック解除時刻と利用期限時刻と保管環境設定値を受信する（ステップＳ１）。このステップＳ１において受信した情報に基づき、メイン制御部１１は、収納部の保管温度を設定する。また、収納容器１０は、ロックを解除するまでの時間であるロック解除時刻と、ロックを維持した状態とするまでの期間を示す利用期限時刻とを設定する。
【００２３】
また、収納容器１０は、各種時刻と保管環境を設定した後に、メイン制御部１１及び無線ＬＡＮ送受信部１２により出力装置３０にロック解除時刻及び利用期限時刻とを送信する（ステップＳ２）。これにより、出力装置３０のディスプレイにロック解除時刻及び利用期限時刻が表示される。
【００２４】
ここで、ステップＳ２の動作を受けた出力装置３０の動作について詳細に説明する。そこで、図３に実施の形態１にかかる出力装置においてタイマー情報に基づく内容物管理表示を行う場合の動作を説明するフローチャートを示す。図３に示すように、出力装置３０では、ステップＳ２１の処理として収納容器１０からタイマー情報を受信する。このアラーム情報には、ロック解除時刻と利用期限時刻とが含まれる。そして、出力装置３０の端末側制御部３１で、ステップＳ２１で受信したタイマー情報を解析する（ステップＳ２２）。その後、端末側制御部３１は、ディスプレイ３３にロック解除時刻を食事予定時刻として表示する（ステップＳ２３）。なお、ロック解除時刻を、例えば、服薬時刻等の別の表記としてもよく、どのような表記とするかは収納容器１０の利用用途による。
【００２５】
続いて、図２を参照して、収納容器１０の動作をさらに説明する。ステップＳ２の後、収納容器１０は、メイン制御部１１からアクチュエータ１４ａ、１４ｂにロック指示を行い、収納容器１０の蓋をロック状態とする（ステップＳ３）。
【００２６】
続いて、収納容器１０は、入力装置２０からのロック解除指示の有無を確認する（ステップＳ４）。このステップＳ４において、入力装置２０からロック解除指示があった場合（ステップＳ４のＮＯの枝）、メイン制御部１１は、アクチュエータ１４ａ、１４ｂに対してロック解除指示を送信し、ロック機構１５ａ、１５ｂをロック解除状態とする（ステップＳ５）。一方、ステップＳ４において、入力装置２０からロック解除指示がないと判断された場合（ステップＳ４のＹＥＳの枝）、メイン制御部１１は、内部のタイマー値を取得する（ステップＳ６）。
【００２７】
次いで、メイン制御部１１は、入力装置２０からのタイマー値の変更指示の有無を確認する（ステップＳ７）。このステップＳ７において、入力装置２０からタイマー値の変更指示があった場合（ステップＳ７のＮＯの枝）、メイン制御部１１は、現在記憶しているロック解除時刻と利用期限時刻との少なくとも一方を受信したタイマー値に応じて変更して（ステップＳ８、Ｓ９）、ステップＳ１０の処理を行う。一方、ステップＳ７において、入力装置２０からタイマー値の変更指示がないと判断された場合（ステップＳ７のＹＥＳの枝）、メイン制御部１１は、ステップＳ１０の処理を行う。
【００２８】
ステップＳ１０では、メイン制御部１１が、収納部の保管環境が冷蔵保管であるか否かを判断する。そして、ステップＳ１０において、設定された保管環境が冷蔵保管として設定されていると判断された場合（ステップＳ１０のＹＥＳの枝）、メイン制御部１１は、温度センサ１３ａ、１３ｂから温度データを取得する（ステップＳ１１）。そして、メイン制御部１１は、取得した温度データに基づき収納部の温度が設定閾値温度（図中では単に閾値と表記）よりも高いか否かを判断する（ステップＳ１２）。そして、ステップＳ１２において、収納部の温度が設定温度閾値よりも高いと判断された場合（ステップＳ１２のＹＥＳの枝）、メイン制御部１１は、スピーカー１７からアラーム音を発する（ステップＳ１３）。また、メイン制御部１１は、出力装置３０に対してアラーム通知を送信する（ステップＳ１４）。
【００２９】
ここで、ステップＳ１４のアラーム通知に基づく出力装置３０の動作について説明する。そこで、図４に実施の形態１にかかる出力装置において収納部の温度異常を通知する警告メッセージを表示する場合の動作を説明するフローチャートを示す。図４に示すように、出力装置３０では、収納容器１０からアラーム通知を受信すると（ステップＳ３１）、受信したアラーム通知を端末側制御部３１おいて解析する（ステップＳ３２）。そして、無線ＬＡＮ送受信部３２は、アラーム通知の解析結果に基づき出力装置３０のスピーカー３４から警告メッセージを発する（ステップＳ３３）。
【００３０】
一方、ステップＳ１２において、収納部の温度が設定温度閾値以下であると判断された場合（ステップＳ１２のＮＯの枝）の収納容器１０の動作を図２を参照して説明する。図２に示すように、ステップＳ２において、収納部の温度が設定温度閾値以下であると判断された場合、メイン制御部１１は、ステップＳ６で取得した内部タイマー値とロック解除時刻または利用制限時刻とを比較して、設定した時刻に達したか否かを判断する（ステップＳ１５）。
【００３１】
ステップＳ１５において、内部タイマー値がロック解除時刻または利用制限時刻で指定される時刻に達していない場合、メイン制御部１１は、ステップＳ４からの処理を繰り返し行う（ステップＳ１５のＮＯの枝）。一方、ステップＳ１５において、内部タイマー値がロック解除時刻または利用制限時刻で指定される時刻に達していた場合（ステップＳ１５のＹＥＳの枝）、メイン制御部１１は、経過した時刻がロック解除時刻であるのか、利用制限時刻であるのか、を判断する（ステップＳ１６）。
【００３２】
このステップＳ１６において、経過した時刻が利用制限時刻であった場合（ステップＳ１６のＹＥＳ）、メイン制御部１１は、アクチュエータ１４ａ、１４ｂに対してロックを指示して、ロック機構１５ａ、１５ｂをロック状態とする（ステップＳ１７）。一方、ステップＳ１６において、経過した時刻がロック解除時刻であった場合（ステップＳ１６のＮＯ）、メイン制御部１１は、アクチュエータ１４ａ、１４ｂに対してロック解除を指示して、ロック機構１５ａ、１５ｂをロック解除状態とする（ステップＳ１８）。また、ステップＳ１８の処理に続いて、メイン制御部１１は、出力装置３０に対してロック解除を通知する（ステップＳ１９）。なお、ロック解除時刻は、利用制限時刻よりも早い時間が設定されるものとする。
【００３３】
このステップＳ１９のロック解除通知を受けた出力装置３０の動作を説明する。そこで、図５に実施の形態１にかかる出力装置において収納部のロック解除を通知するメッセージを表示する場合の動作を説明するフローチャートを示す。図５に示すように、出力装置３０は、収納容器１０からロック解除通知を受信すると（ステップＳ４１）、端末側制御部３１が受信したロック解除通知を解析する（ステップＳ４２）。そして、端末側制御部３１は、解析結果に基づきスピーカー３４からロックが解除されたことを通知するメッセージを発する（ステップＳ４３）。なお、ステップＳ４３の音声メッセージの出力に加えて、ディスプレイ３３にロック解除を通知する表示を行ってもよい。
【００３４】
実施の形態１にかかる収納システム１では、図２〜図５で説明した動作を入力装置２０から収納容器１０に与えるタイマー値に基づき行うが、出力装置３０への通知を行わず、入力装置２０から与えられた設定温度以下に収納部が維持されているか否かを収納容器１０単体で表示する利用方法もある。そこで、収納容器１０単体で保冷状態を監視する収納容器１０の動作について説明する。
【００３５】
図６に実施の形態１にかかる収納容器単体で収納部の保冷機能を使う場合の動作を説明するフローチャートを示す。なお、図６で示す動作は、予め入力装置２０から保冷環境設定値が入力された状態の動作である。
【００３６】
図６に示すように、収納容器１０は、メイン制御部１１により、温度センサ１３ａ、１３ｂから温度データを取得する（ステップＳ５１）。続いて、メイン制御部１１は、取得した温度データに基づき収納部の内部温度が適正な保冷温度か否かを判断する（ステップＳ５２）。そして、ステップＳ５２において収納部の内部温度が適正な保冷温度であると判断できた場合（ステップＳ５２のＹＥＳの枝）、メイン制御部１１は、再度温度データを取得する。一方、ステップＳ５２において収納部の内部温度が適正な保冷温度から外れていると判断された場合（ステップＳ５２のＮＯの枝）、メイン制御部１１は、スピーカー１７から警報を発する（ステップＳ５３）とともに、ディスプレイ１６に保冷が不完全であることを示す保冷不完全情報を表示する（ステップＳ５３）。
【００３７】
上記説明より、実施の形態１にかかる収納システム１では、収納容器１０に対して２つのタイマー値を与えて、２段階で収納部のロック状態を制御する。具体的には、収納容器１０は、ロック解除時刻と利用制限時刻とが与えられた後に収納部をロック状態とし、ロック開始後からロック解除時刻が経過するまでの期間は蓋をロック状態とし、ロック解除時刻が経過したことに応じて蓋をロック解除状態とする。また、収納容器１０は、ロック開始当初からの経過時間が利用制限時刻に達した後に蓋をロック状態とする。
【００３８】
これにより、実施の形態１にかかる収納システム１では、収納容器１０で管理する物を利用する利用者に対して物の利用開始時間を管理することができる。また、収納システム１では、収納部に収納された物（管理対象物）を利用可能になった場合に出力装置３０に利用可能になったことを通知するとともに、利用可能になる予定時刻を表示する。これにより、収納システム１を利用する管理者は、管理対象物の管理を容易に行うことができる。
【００３９】
また、実施の形態１にかかる収納システム１では、利用制限時刻経過後に蓋をロック状態とすることで、利用期限を経過した物に利用者が接触することを防止することができる。
【００４０】
また、実施の形態１にかかる収納システム１では、収納部の温度管理機能を有し、収納部の温度が不適切となった場合には、収納容器１０のディスプレイに管理温度不良を通知するとともに、出力装置３０に対しても管理温度不良を通知することで、利用者が温度管理不良の環境下で保管された物に接触することを防止することができる。
【００４１】
また、実施の形態１にかかる収納システム１では、収納容器１０に対するタイマー値の設定を収納容器１０とは別体に設けられた入力装置２０を用いて行い、かつ、収納容器１０のロック状態、あるいは、保冷状態の利用者への通知を入力装置２０とは独立して設けられる出力装置３０を用いて行う。これにより、実施の形態１にかかる収納システム１では、利用者が収納容器１０に設定されたタイマー値を利用者が不用意に変更することを防止することができる。
【００４２】
また、実施の形態１にかかる収納システム１では、収納部の温度管理に不良があった場合に警告等を収納容器１０に設けられたディスプレイ１６及びスピーカー１７を解して行う。このように、収納容器１０単体で、収納部の温度管理不良を通知する機能を有することで、無線ＬＡＮ送受信部１２等による無線通信の通信可能範囲外に収納容器１０がある期間に温度管理不良が生じた場合においても、管理者等が温度管理不良を把握することができる。
【００４３】
実施の形態２
実施の形態２では、無線通信部を無線ＬＡＮからＢｌｕｅｔｏｏｔｈ（登録商標）に対応したものに変更した例について説明する。そこで、図７に実施の形態２にかかる収納容器１０ａを含む収納システム２のブロック図を示す。なお、実施の形態１で説明した構成要素については実施の形態１と同じ符号を付して説明を省略する。
【００４４】
図７に示すように、実施の形態２にかかる収納システム２は、実施の形態１にかかる収納システム１の収納容器１０、入力装置２０、出力装置３０を収納容器１０ａ、入力装置２０ａ、出力装置３０ａに置き換えたものである。収納容器１０ａは、収納容器１０の無線ＬＡＮ送受信部１２をＢＴ送受信部１２ａに置き換えたものである。入力装置２０ａは、入力装置２０の無線ＬＡＮ送受信部２２をＢＴ送受信部２２ａに置き換えたものである。出力装置３０ａは、出力装置３０の無線ＬＡＮ送受信部３２をＢＴ送受信部３２ａに置き換えたものである。
【００４５】
このように、収納容器１０ａと入力装置２０ａとの通信、及び、収納容器１０ａと出力装置３０ａとの通信にＢｌｕｅｔｏｏｔｈ（登録商標）を用いても、実施の形態２にかかる収納システム２は、実施の形態１と同じ動作を行うことができる。
【００４６】
実施の形態３
実施の形態３では、収納容器１０と入力装置２０との通信方式と、収納容器１０と出力装置３０と通信方式で、異なる通信方式を利用する例について説明する。そこで、図８に実施の形態３にかかる収納容器１０ｂを含む収納システム２のブロック図を示す。なお、実施の形態１で説明した構成要素については実施の形態１と同じ符号を付して説明を省略する。
【００４７】
図８に示すように、実施の形態３にかかる収納システム３は、実施の形態１にかかる収納システム１の収納容器１０、入力装置２０、出力装置３０を収納容器１０ｂ、入力装置２０ｂ、出力装置３０ａに置き換えたものである。収納容器１０ｂは、収納容器１０の無線ＬＡＮ送受信部１２をＢＴ送受信部１２ａに置き換え、かつ、ＮＦＣリーダ１８を追加したものである。入力装置２０ｂは、入力装置２０の無線ＬＡＮ送受信部２２をＮＦＣリーダライタ２２ｂに置き換えたものである。出力装置３０ａは、出力装置３０の無線ＬＡＮ送受信部３２をＢＴ送受信部３２ａに置き換えたものである。
【００４８】
このように、収納容器１０ｂと入力装置２０ｂとの通信方式と、収納容器１０ｂと出力装置３０ａで異なる通信方式を採用しても、実施の形態３にかかる収納システム３は、実施の形態１と同じ動作を行うことができる。また、ＮＦＣは、収納容器１０ｂと入力装置２０ｂとを近接させなければ通信を行うことができないため、実施の形態１にかかる収納システム１よりもより誤操作を防止することができる。
【００４９】
実施の形態４
実施の形態４では、実施の形態２にかかる収納システム２の変形例を説明する。そこで、図９に実施の形態４にかかる収納容器１０ａを含む収納システム４のブロック図を示す。なお、実施の形態１で説明した構成要素については実施の形態１、２と同じ符号を付して説明を省略する。
【００５０】
図９に示すように、実施の形態４にかかる収納システム４は、実施の形態２にかかる収納システム２の出力装置３０ａの機能を出力装置３０ｂと出力装置４０に分割して持たせるものである。出力装置３０ｂはＢＴ送受信部３２ａを有し、出力装置４０はＢＴ送受信部４２を有することで、収納容器１０ａとの間でＢｌｕｅｔｏｏｔｈ（登録商標）に基づく通信を行う。また、出力装置３０ｂは、出力装置３０ａのディスプレイ表示機能のみを有し、出力装置４０は、端末側制御部４１及びスピーカー４４を用いて出力装置３０ａの音声出力機能のみを有する。
【００５１】
このように、出力装置３０ａの機能を２つの機能に分割し、分割した機能を２つの出力装置に持たせる。これにより、実施の形態４にかかる収納システム４では、音声と文字表示のいずれかの方法による通知を利用者に知らせることができる。
【００５２】
実施の形態５
実施の形態５では、実施の形態２にかかる収納システム２の変形例を説明する。そこで、図１０に実施の形態５にかかる収納容器１０ｃを含む収納システム５のブロック図を示す。なお、実施の形態１で説明した構成要素については実施の形態１、２と同じ符号を付して説明を省略する。
【００５３】
図１０に示すように、実施の形態５にかかる収納システム５は、実施の形態２にかかる収納容器１０に入力インタフェース１９を追加した収納容器１０ｃを有する。また、実施の形態５にかかる収納システム５では、入力装置２０ａは用いない。
【００５４】
このように、収納容器１０ｃに入力インタフェース１９を備えることで、入力装置２０を利用しなくても実施の形態１にかかる収納システム１と同じ動作を行うことができる。また、実施の形態５にかかる収納システム５では、実施の形態１にかかる収納システム１と同様に、収納容器にタイマー値等の設定値を与える収納容器１０ｃと出力装置３０ａは独立して設けられるため、実施の形態１と同様の管理対象物の管理性を確保することができる。
【００５５】
なお、本発明は上記実施の形態に限られたものではなく、趣旨を逸脱しない範囲で適宜変更することが可能である。
【符号の説明】
【００５６】
１〜５  収納システム
１０、１０ａ〜１０ｃ  収納容器
１１  メイン制御部
１２、２２、３２  無線ＬＡＮ送受信部
１２ａ、２２ａ、３２ａ、４２  ＢＴ送受信部
１３ａ、１３ｂ  温度センサ
１４ａ、１４ｂ  アクチュエータ
１５ａ、１５ｂ  ロック機構
１６  ディスプレイ
１７  スピーカー
１８  ＮＦＣリーダ
１９、２３  入力インタフェース
２０  入力装置
２１  端末側制御部
２２ｂ  ＮＦＣリーダライタ
３０  出力装置
３１  端末側制御部
３３  ディスプレイ
３４  スピーカー
４０  出力装置
４１  端末側制御部
４２  ＢＴ送受信部
【図１】
2020120914.tif 000003
【図２】
2020120914.tif 000004
【図３】
2020120914.tif 000005
【図４】
2020120914.tif 000006
【図５】
2020120914.tif 000007
【図６】
2020120914.tif 000008
【図７】
2020120914.tif 000009
【図８】
2020120914.tif 000010
【図９】
2020120914.tif 000011
【図１０】
2020120914.tif 000012
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
物を収納する収納部の蓋をロック状態とするかロック解除状態とするかを切り替えるロック機構と、
外部の入力装置と無線通信を行う無線通信部と、
前記入力装置から与えられるタイマー値に従って前記ロック機構を操作する制御部と、を有し、
前記制御部は、
前記タイマー値のうちの第１のタイマー値が与えられたことに応じて前記ロック機構をロック状態に設定し、
前記ロック機構をロック状態とした後に前記第１のタイマー値により指定された時刻が経過したことに応じて前記ロック機構をロック解除状態とし、
前記ロック機構をロック解除状態とした後に、前記タイマー値のうちの第２のタイマー値により指定された時刻が経過した後に前記ロック機構をロック状態で維持する食品用収納容器。
【請求項２】
前記制御部は、前記入力装置からロック解除指示が与えられたことに応じて前記ロック機構をロック解除状態とする請求項１に記載の食品用収納容器。
【請求項３】
前記制御部は、前記入力装置から前記第１のタイマー値の変更指示があった場合、変更指示前に記憶している前記第１のタイマー値を変更する請求項１又は２に記載の食品用収納容器。
【請求項４】
前記収納部内の温度を測定する温度センサと、
音声を出力するスピーカーと、をさらに有し、
前記制御部は、前記収納部に対して冷蔵保管を行うことが指示されていた場合、前記温度センサから取得した温度データが温度閾値よりも高い場合、前記スピーカーを介してアラーム音を発する請求項１乃至３のいずれか１項に記載の食品用収納容器。
【請求項５】
文字情報を表示するディスプレイをさらに有し、
前記温度データが温度閾値よりも高い場合、前記ディスプレイに警告表示を行う請求項４に記載の食品用収納容器。
【請求項６】
前記無線通信部は、出力装置と無線通信を行う機能を有し、
前記出力装置は、文字情報を表示するディスプレイを有し、
前記制御部は、前記温度データが温度閾値よりも高い場合、前記出力装置にアラーム通知を出力し、
前記出力装置は、受信した前記アラーム通知に基づき前記ディスプレイに警告メッセージを表示する請求項４に記載の食品用収納容器。
【請求項７】
前記無線通信部は、外部の出力装置と無線通信を行う機能を有し、
前記制御部は、前記第１のタイマー値が与えられことに応じて、前記無線通信部を介して当該第１のタイマー値により指定されるロック解除時刻を前記出力装置に通知し、
前記出力装置は、文字情報を表示するディスプレイを有し、受信した前記ロック解除時刻を前記ディスプレイに表示する請求項１に記載の食品用収納容器。
【請求項８】
前記出力装置は、前記入力装置とは別の装置である請求項６又は７に記載の食品用収納容器。
【請求項９】
前記無線通信部は、無線ＬＡＮ、Ｂｌｕｅｔｏｏｔｈ（登録商標）、近距離無線通信の少なくとも１つの通信規格に従って通信を行う請求項１乃至８のいずれか１項に記載の食品用収納容器。
【手続補正３】
【補正対象書類名】明細書
【補正対象項目名】０００１
【補正方法】変更
【補正の内容】
【０００１】
本発明は食品用収納容器に関し、特にロック機構を有し、収納部の蓋のロックとロック解除を切り替える事ができる食品用収納容器に関する。
【手続補正４】
【補正対象書類名】明細書
【補正対象項目名】０００７
【補正方法】変更
【補正の内容】
【０００７】
本発明にかかる食品用収納容器の一態様は、物を収納する収納部の蓋をロック状態とするかロック解除状態とするかを切り替えるロック機構と、外部の入力装置と無線通信を行う無線通信部と、前記入力装置から与えられるタイマー値に従って前記ロック機構を操作する制御部と、を有し、前記制御部は、前記タイマー値のうちの第１のタイマー値が与えられたことに応じて前記ロック機構をロック状態に設定し、前記ロック機構をロック状態とした後に前記第１のタイマー値により指定された時刻が経過したことに応じて前記ロック機構をロック解除状態とし、前記ロック機構をロック解除状態とした後に、前記タイマー値のうちの第２のタイマー値により指定された時刻が経過した後に前記ロック機構をロック状態で維持する。
【手続補正５】
【補正対象書類名】明細書
【補正対象項目名】０００８
【補正方法】変更
【補正の内容】
【０００８】
本発明にかかる食品用収納容器によれば、収納部に収納された物の取り出しを禁止するタイミングを管理することができる。